(57)【要約】【課題】通りすがりの車両から情報を取得することができる車両用通信装置を提供する。【解決手段】第一通信装置１０１は、第二ＩＤに応じて変調された変調光を発する第二発光部２５を撮像する第一カメラ１１と、第一カメラ１１によって撮像される第二発光部２５の映像に基づいて、第二ＩＤを特定する第一制御部１２と、特定された第二ＩＤに基づいて、第二の車両２０に取り付けられた第二カメラ２１によって撮像された第二の車両２０の前方の映像を取得する第一無線通信部１４と、取得された映像を表示する表示部１５とを備える。【選択図】図３
2019175376.tif 000002
【特許請求の範囲】
【請求項１】
前方に位置する車両に取り付けられる発光部であって、識別情報に応じて変調された変調光を発する発光部を撮像する第一カメラと、
前記第一カメラによって撮像される前記発光部の映像に基づいて、前記識別情報を特定する制御部と、
特定された前記識別情報に基づいて、前記車両に取り付けられた第二カメラによって撮像された前記車両の前方の映像、及び、当該映像に基づいて得られる情報の少なくとも一方を取得する取得部と、
取得された前記映像及び前記情報の少なくとも一方を提示する提示部とを備える
車両用通信装置。
【請求項２】
前記取得部は、さらに、特定された前記識別情報に基づいて、前記車両に関する情報を取得する
請求項１に記載の車両用通信装置。
【請求項３】
前記提示部は、さらに、前記車両に関する情報を音声として提示する
請求項２に記載の車両用通信装置。
【請求項４】
さらに、前記制御部が前記第一カメラによって撮像される前記発光部の映像に基づいて前記識別情報を特定するために実行するプログラムがインストールされる記憶部を備える
請求項１〜３のいずれか１項に記載の車両用通信装置。
【請求項５】
前記発光部は、前記識別情報である第二識別情報に応じて変調された変調光を発する第二発光部であり、
前記車両用通信装置は、さらに、
第一識別情報に応じて変調された変調光を発する第一発光部と、
前記第一識別情報が指定された送信要求に応じて、前記第一カメラによって撮像される映像、及び、当該映像から得られる情報の少なくとも一方を送信する送信部とを備える
請求項１〜４のいずれか１項に記載の車両用通信装置。
【請求項６】
前記送信部は、さらに、前記第一識別情報が指定された送信要求に応じて、前記車両用通信装置が取り付けられる車両に関する情報を送信する
請求項５に記載の車両用通信装置。
【請求項７】
前記取得部は、前記第二カメラによって撮像された前記車両の前方の映像に基づいて得られる情報として、当該車両よりも前方で渋滞が発生していることを示す情報を取得する
請求項１〜６のいずれか１項に記載の車両用通信装置。
【請求項８】
請求項１〜７のいずれか１項に記載の車両用通信装置と、
前記車両用通信装置が取り付けられる車両本体とを備える
車両。
【請求項９】
コンピュータを、請求項１〜７のいずれか１項に記載の車両用通信装置として動作させるためのプログラム。
【請求項１０】
第一の車両に取り付けられる車両用通信装置と、
前記第一の車両の前方に位置する第二の車両に取り付けられる、識別情報に応じて変調された変調光を発する発光部とを備え、
前記車両用通信装置は、
前記発光部を撮像する第一カメラと、
前記第一カメラによって撮像される前記発光部の映像に基づいて、前記識別情報を特定する制御部と、
特定された前記識別情報に基づいて、前記第二の車両に取り付けられた第二カメラによって撮像された前記第二の車両の前方の映像、及び、当該映像に基づいて得られる情報の少なくとも一方を取得する取得部と、
取得された前記映像及び前記情報の少なくとも一方を提示する提示部とを備える
車車間通信システム。
【発明の詳細な説明】
【技術分野】
【０００１】
本発明は、光通信を行う、車両用通信装置、車両、及び、車車間通信システムに関する。
【背景技術】
【０００２】
特許文献１には、前方で停車している車両と、その車両の後方から接近する車両との間で可視光を用いた車車間通信を行う可視光通信システムが開示されている。このような可視光通信システムによれば、車両間の見通しを遮る障害物が存在した場合でも通信環境の改善が図られる。
【先行技術文献】
【特許文献】
【０００３】
【特許文献１】特開２０１５−１４９００６号公報
【発明の概要】
【発明が解決しようとする課題】
【０００４】
本発明は、通りすがりの車両から情報を取得することができる車両用通信装置、車両、及び、車車間通信システムを提供する。
【課題を解決するための手段】
【０００５】
本発明の一態様に係る車両用通信装置は、前方に位置する車両に取り付けられる発光部であって、識別情報に応じて変調された変調光を発する発光部を撮像する第一カメラと、前記第一カメラによって撮像される前記発光部の映像に基づいて、前記識別情報を特定する制御部と、特定された前記識別情報に基づいて、前記車両に取り付けられた第二カメラによって撮像された前記車両の前方の映像、及び、当該映像に基づいて得られる情報の少なくとも一方を取得する取得部と、取得された前記映像及び前記情報の少なくとも一方を提示する提示部とを備える。
【０００６】
本発明の一態様に係る車両は、前記車両用通信装置と、前記車両用通信装置が取り付けられる車両本体とを備える。
【０００７】
本発明の一態様に係る車車間通信システムは、第一の車両に取り付けられる車両用通信装置と、前記第一の車両の前方に位置する第二の車両に取り付けられる、識別情報に応じて変調された変調光を発する発光部とを備え、前記車両用通信装置は、前記発光部を撮像する第一カメラと、前記第一カメラによって撮像される前記発光部の映像に基づいて、前記識別情報を特定する制御部と、特定された前記識別情報に基づいて、前記第二の車両に取り付けられた第二カメラによって撮像された前記第二の車両の前方の映像、及び、当該映像に基づいて得られる情報の少なくとも一方を取得する取得部と、取得された前記映像及び前記情報の少なくとも一方を提示する提示部とを備える。
【発明の効果】
【０００８】
本発明の車両用通信装置、車両、及び、車車間通信システムは、通りすがりの車両から情報を取得することができる。
【図面の簡単な説明】
【０００９】
【図１】図１は、実施の形態に係る車車間通信システムの概要を説明するための図である。
【図２】図２は、第二発光部が取り付けられた第二の車両２０を後方から見た図である。
【図３】図３は、実施の形態に係る車車間通信システムの機能構成を示すブロック図である。
【図４】図４は、実施の形態に係る車車間通信システムの動作例１のシーケンス図である。
【図５】図５は、動作例１において表示部に表示される映像の一例である。
【図６】図６は、実施の形態に係る車車間通信システムの動作例２のシーケンス図である。
【図７】図７は、動作例２における情報の提示例を示す図である。
【図８】図８は、第二ＩＤを複数のパケットに分割して送信する方法を説明するための図である。
【図９】図９は、パケットの送信順序の一例を示す図である。
【図１０】図１０は、パケットの送信順序の別の一例を示す図である。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［車車間通信システムの概要］
まず、実施の形態に係る車車間通信システムの概要について説明する。図１は、実施の形態に係る車車間通信システムの概要を説明するための図である。図１は、道路を走行する第一の車両１０及び第二の車両２０を上方から見た図である。
【００１３】
図１に示されるように、実施の形態に係る車車間通信システム１００は、第一の車両１０の車両本体１９に取り付けられた第一通信装置１０１と、第二の車両２０に取り付けられた第二通信装置１０２とを備える。第二の車両２０が第一の車両１０の前方を走行している状態で渋滞が発生したとする（図１の（ａ））。このような場合、第二の車両２０に取り付けられた第二カメラ２１が第二の車両２０の前方の映像を撮像し（図１の（ｂ））、当該映像が第一の車両１０内の表示部１５に表示されれば、第一の車両１０の運転者は、第二の車両２０の前方の状況を確認することができる。
【００１４】
特に、第二の車両２０がバスまたはトラックなどの大型車両である場合には、第一の車両１０の運転者は、第二の車両２０の前方を視認することができない。そうすると、第一の車両１０の運転者は、第二の車両２０の進行がなぜ遅いのかがわからないため、イライラしてしまう可能性がある。
【００１５】
これに対し、第二の車両２０の前方の状況が確認できれば、第一の車両１０の運転者は、第二の車両２０の進行が遅い原因が渋滞であることがわかるため、落ち着いて運転を行うことができる。つまり、第二の車両２０に取り付けられた第二カメラ２１によって撮像された映像が後方の第一の車両１０内の表示部１５に表示されれば、第一の車両１０の運転者の快適性が高められる。
【００１６】
ここで、第二の車両２０に取り付けられた第二カメラ２１が撮像した映像を第一の車両１０内の表示部１５に表示するためには、当該映像の映像情報を第二の車両２０が備える第二通信装置１０２から第一の車両１０が備える第一通信装置１０１に無線送信する必要がある（図１の（ｃ））。第一通信装置１０１が第二通信装置１０２に映像情報を要求するためには、第二通信装置１０２の第二ＩＤ（言い換えれば、識別情報）を事前に特定しておかなければならない。ところが、第二の車両２０は、第一の車両１０が走行中に偶然遭遇した車両であることが通常であり、第一通信装置１０１が第二ＩＤを事前に特定することは難しい。
【００１７】
そこで、車車間通信システム１００においては、図２に示されるように、第二の車両２０の背面に第二発光部２５が取り付けられている。図２は、第二発光部２５が取り付けられた第二の車両２０を後方から見た図である。
【００１８】
第二発光部２５は、第二の車両２０が備えるブレーキランプ及びテールランプとは別の、光通信専用のデバイスである。なお、ブレーキランプまたはテールランプなどの既存の発光部が第二発光部２５として利用されてもよい。車車間通信システム１００において、第二発光部２５は、第二ＩＤに応じて変調された変調光を出射する。第一通信装置１０１は、第一の車両１０に取り付けられた第一カメラ１１で第二発光部２５を撮像することにより、第二ＩＤを特定することができる。このように、車車間通信システム１００においては、第二発光部２５が送信機として用いられ、かつ、第一カメラ１１が受信機として用いられる光通信が行われる。これにより、第一通信装置１０１は、通りすがりの第二の車両２０が備える第二カメラ２１で撮像された映像を取得することができる。
【００１９】
［第二通信装置の構成］
次に、車車間通信システム１００の具体的な構成について説明する。図３は、実施の形態に係る車車間通信システムの機能構成を示すブロック図である。
【００２０】
まず、第二通信装置１０２について説明する。第二通信装置１０２は、第二カメラ２１と、第二制御部２２と、第二無線通信部２３と、第二記憶部２４と、第二発光部２５とを備える。第二通信装置１０２は、車両用通信装置の一例である。
【００２１】
第二カメラ２１は、イメージセンサ２１ａを有し、第二制御部２２の制御に基づいて第二の車両２０の前方の映像を撮像する。イメージセンサ２１ａは、例えば、ＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）イメージセンサである。イメージセンサ２１ａは、ＣＣＤ（Ｃｈａｒｇｅ  Ｃｏｕｐｌｅｄ  Ｄｅｖｉｃｅ）イメージセンサなどであってもよい。イメージセンサ２１ａは、ローリングシャッター方式のイメージセンサであるが、グローバルシャッター方式のイメージセンサであってもよい。
【００２２】
第二制御部２２は、第二カメラ２１及び第二無線通信部２３を制御する制御装置である。第二制御部２２は、例えば、第二カメラ２１によって撮像された映像の要求が第二無線通信部２３によって受信されると、第二カメラ２１に前方の映像を撮像させ、撮像された映像の映像情報（映像信号）を第二無線通信部２３に無線送信させる。第二制御部２２は、第二の車両２０の前方が渋滞していることを示すアラーム情報を第二無線通信部２３に無線送信させる。
【００２３】
第二制御部２２は、例えば、プロセッサ、マイクロコンピュータ、または、専用回路などによって実現される。第二制御部２２は、プロセッサ、マイクロコンピュータ、および、専用回路のうち２つ以上の組み合わせによって実現されてもよい。
【００２４】
第二無線通信部２３は、第一通信装置１０１及び第二通信装置１０２の間の電波を用いた無線通信に用いられる無線通信回路である。なお、電波には、可視光及び赤外線は含まれない。
【００２５】
第二無線通信部２３は、例えば、第一の車両１０に取り付けられた第一無線通信部１４から第二カメラ２１によって撮像された映像の要求を受信する。また、第二無線通信部２３は、第二制御部２２の制御に基づいて第二カメラ２１によって撮像された映像の映像情報を第一無線通信部１４に無線送信する。また、第二無線通信部２３は、第二制御部２２の制御に基づいてアラーム情報を無線送信する。
【００２６】
第二無線通信部２３による無線通信の規格（つまり、プロトコル）としては、ＺｉｇＢｅｅ（登録商標）、Ｂｌｕｅｔｏｏｔｈ（登録商標）、または、無線ＬＡＮ（Ｌｏｃａｌ  Ａｒｅａ  Ｎｅｔｗｏｒｋ）等が例示されるが、無線通信の規格は、特に限定されない。また、無線通信に用いられる電波の周波数帯についても特に限定されない。
【００２７】
第二記憶部２４は、第二ＩＤ、第二カメラ２１によって撮像された映像の映像情報、第二の車両２０の車両情報（第二の車両２０の製造メーカを示す情報、第二の車両２０の車種情報、第二の車両２０の車体色情報、及び、第二の車両２０のナンバー情報など）及び、第二制御部２２によって実行される制御プログラム等が記憶される記憶装置である。第二記憶部２４は、具体的には、半導体メモリなどによって実現される。
【００２８】
なお、実施の形態において、第二ＩＤは、第一通信装置１０１及び第二通信装置１０２の間で電波による無線通信を行うための通信用のＩＤを意味し、第二通信装置１０２に関連付けられたＩＤに限定されない。例えば、第二ＩＤは、例えば、第二の車両２０に関連付けられたＩＤであってもよい。
【００２９】
第二発光部２５は、上記図２に示されるように、第二の車両２０の背面に取り付けられる発光装置である。第二発光部２５は、横方向に長い形状を有するが、第二発光部２５の形状は特に限定されない。第二発光部２５は、第二ＩＤに応じて変調された変調光を発する。変調光は、例えば、可視光であるが、第一カメラ１１が撮像できるのであれば赤外線などの不可視光線であってもよい。
【００３０】
第二発光部２５は、例えば、長尺状の基板上に、ＬＥＤチップが長手方向に沿って複数配置されたＣＯＢ（Ｃｈｉｐ  Ｏｎ  Ｂｏａｒｄ）型の発光モジュール、及び、発光モジュールを覆うカバーなどによって実現される、長尺パネル状の発光装置である。第二発光部２５は、基板上にＳＭＤ（Ｓｕｒｆａｃｅ  Ｍｏｕｎｔ  Ｄｅｖｉｃｅ）型のＬＥＤ素子が長手方向に沿って複数配置されたＳＭＤ型の発光モジュールを用いて実現されてもよい。なお、第二発光部２５には、例えば、半導体レーザまたは有機ＥＬ（Ｅｌｅｃｔｒｏ  Ｌｕｍｉｎｅｓｃｅｎｃｅ）等、ＬＥＤ（ＬＥＤ素子）以外の固体発光素子が発光素子として用いられてもよい。
【００３１】
［第一通信装置］
次に、第一通信装置１０１について説明する。第一通信装置１０１は、第一カメラ１１と、第一制御部１２と、操作受付部１３と、第一無線通信部１４と、表示部１５と、スピーカ１６と、第一記憶部１７と、第一発光部１８とを備える。第一通信装置１０１は、車両用通信装置の一例である。
【００３２】
第一カメラ１１は、イメージセンサ１１ａを有し、第一制御部１２の制御に基づいて第二発光部２５を含む第一の車両１０の前方の映像を撮像する。イメージセンサ１１ａは、例えば、ＣＭＯＳイメージセンサである。イメージセンサ１１ａは、例えば、ローリングシャッター方式のイメージセンサである。
【００３３】
第一制御部１２は、第一カメラ１１、第一無線通信部１４、表示部１５、及び、スピーカ１６を制御する制御装置である。第一制御部１２は、例えば、操作受付部１３によって第二の車両２０からの映像の取得を指示する操作が受け付けられると、映像の要求を第一無線通信部１４に無線送信させる。また、第一制御部１２は、第一無線通信部１４によって映像情報が受信されると、受信された映像情報に基づいて表示部１５に映像を表示させる。第一制御部１２は、第一無線通信部１４によってアラーム情報が受信されると、受信されたアラーム情報に基づいてスピーカ１６に音声を出力させる。
【００３４】
第一制御部１２は、例えば、プロセッサ、マイクロコンピュータ、または、専用回路などによって実現される。第一制御部１２は、プロセッサ、マイクロコンピュータ、および、専用回路のうち２つ以上の組み合わせによって実現されてもよい。
【００３５】
操作受付部１３は、ユーザの操作を受け付けるユーザインターフェースである。操作受付部１３は、例えば、第二通信装置１０２からの映像の取得を指示するユーザの操作を受け付ける。操作受付部１３は、具体的には、表示部１５の表示画面に対向配置されたタッチパネルであるが、ハードウェアキー（言い換えれば、ハードウェアボタン）であってもよい。
【００３６】
第一無線通信部１４は、第一通信装置１０１及び第二通信装置１０２の間の電波を用いた無線通信に用いられる無線通信回路である。例えば、第一無線通信部１４は、第一制御部１２の制御に基づいて第二カメラ２１によって撮像された映像の要求を第二無線通信部２３に無線送信する。また、第一無線通信部１４は、第二カメラ２１によって撮像された映像の映像情報を第二無線通信部２３から受信する。また、第一無線通信部１４は、アラーム情報を第二無線通信部２３から受信する。
【００３７】
第二無線通信部２３と同様に、第一無線通信部１４による無線通信の規格、及び、第一無線通信部１４による無線通信に用いられる電波の周波数帯については特に限定されない。
【００３８】
表示部１５は、第一無線通信部１４によって受信された映像情報に基づいて映像を表示する。表示部１５は、第一制御部１２によって制御される。表示部１５は、液晶パネルまたは有機ＥＬパネルなどを表示デバイスとして含むディスプレイである。
【００３９】
スピーカ１６は、第一無線通信部１４によって受信されたアラーム情報に基づいて音声を出力する。出力される音声は、例えば、前方が渋滞していることを通知するメッセージである。
【００４０】
第一記憶部１７は、第一ＩＤ、第一カメラ１１によって撮像された映像の映像情報、第一の車両１０の車両情報（第一の車両１０の製造メーカを示す情報、第一の車両１０の車種情報、第一の車両１０の車体色情報、及び、第一の車両１０のナンバー情報など）、及び、第一制御部１２によって実行される制御プログラム等が記憶される記憶装置である。第一記憶部１７は、具体的には、半導体メモリなどによって実現される。
【００４１】
なお、実施の形態において、第一ＩＤは、第一通信装置１０１及び第二通信装置１０２の間で電波による無線通信を行うための通信用のＩＤを意味し、第一通信装置１０１に関連付けられたＩＤに限定されない。例えば、第一ＩＤは、例えば、第一の車両１０に関連付けられたＩＤであってもよい。
【００４２】
第一発光部１８は、第二発光部２５と同様に、第一の車両１０の背面に取り付けられる発光装置である。第一発光部１８は、横方向に長い形状を有するが、第一発光部１８の形状は特に限定されない。第一発光部１８は、第一ＩＤに応じて変調された変調光を発する。変調光は、例えば、可視光であるが、赤外線などの不可視光線であってもよい。第一発光部１８の具体的構成は、第二発光部２５と同様である。
【００４３】
［車車間通信システムの動作例１］
次に、車車間通信システム１００の動作例１について説明する。図４は、車車間通信システム１００の動作例１のシーケンス図である。
【００４４】
まず、第二通信装置１０２の第二制御部２２は、送信対象の第二ＩＤに応じて変調された変調光を第二発光部２５に出射させる（Ｓ１１）。第二制御部２２は、具体的には、第二記憶部２４に記憶された第二ＩＤを読み出し、読み出した第二ＩＤに応じて第二発光部２５を高速に明滅させる。第二発光部２５が明滅するとは、第二発光部２５が明るい状態と暗い状態を繰り返すことを意味し、暗い状態には、第二発光部２５が消灯している状態と、比較的暗い状態で発光している状態との両方が含まれる。なお、後述のように、第二制御部２２は、第二ＩＤを複数のパケットに分割し、複数のパケットに応じて変調された変調光を第二発光部２５に出射させてもよい。
【００４５】
一方、第一の車両１０の運転者は、前方に位置する第二の車両２０の進行が極めて遅いような場合に、操作受付部１３に対して第二の車両２０の前方の映像の取得を指示する操作を行う。操作受付部１３によってこの操作が受け付けられると（Ｓ１２）、第一制御部１２は、第一カメラ１１に第二の車両２０の背面に取り付けられた第二発光部２５を撮像させる。第一制御部１２は、第一カメラ１１によって撮像された映像のうち高速で明滅する領域、つまり、第二発光部２５が現れている領域を画像処理によって特定し、特定した領域の明滅を読み取ることにより、第二ＩＤを取得する（Ｓ１３）。取得された第二ＩＤは、例えば、第一記憶部１７に一時的に記憶される。
【００４６】
次に、第一制御部１２は、取得された第二ＩＤが宛先として指定された通信許可要求を第一無線通信部１４に無線通信させる（Ｓ１４）。通信許可要求には、第一ＩＤが含まれる。
【００４７】
第二制御部２２は、第二無線通信部２３によって通信許可要求が受信されると（Ｓ１５）、受信された通信許可要求に含まれる第一ＩＤを第二記憶部２４に通信許可ＩＤとして記憶する。続いて第二制御部２２は、第二無線通信部２３に通信許可通知を無線送信させる（Ｓ１６）。
【００４８】
第一制御部１２は、第一無線通信部１４によって通信許可通知が受信されると（Ｓ１７）、第二ＩＤが宛先として指定された、映像の要求（言い換えれば、送信要求）を第一無線通信部１４に無線送信させる（Ｓ１８）。この映像の要求は、具体的には、第二カメラ２１によって撮像された映像の要求である。このように、第一無線通信部１４は、第一カメラ１１が第二発光部２５を撮像することによって得られる第二ＩＤに基づいて、第二カメラ２１によって撮像された映像の要求を無線送信する。なお、映像の要求には、第一ＩＤが含まれる。
【００４９】
第二制御部２２は、第二無線通信部２３によって映像の要求が受信されると（Ｓ１９）、受信された映像の要求に含まれる第一ＩＤが第二記憶部２４に通信許可ＩＤとして記憶されていることを確認する。続いて、第二制御部２２は、第二カメラ２１によって第二の車両２０の前方の映像を撮像させ（Ｓ２０）、撮像された映像の映像情報を第二無線通信部２３に無線送信させる（Ｓ２１）。
【００５０】
なお、第二カメラ２１による映像の撮像が映像の要求をトリガとして行われることは必須ではない。例えば、第二カメラ２１による映像の撮像は常時行われていてもよく、この場合、撮像された映像の映像情報は、常時第二記憶部２４に蓄積されているため、ステップＳ２０は省略される。ステップＳ２１において、第二制御部２２は、第二記憶部２４に蓄積された少し前の映像の映像情報を読み出し、読み出した映像情報を第二無線通信部２３に送信させる。
【００５１】
第一制御部１２は、第一無線通信部１４によって映像情報が取得されると（Ｓ２２）、取得された映像情報に基づいて表示部１５に映像を表示させる（Ｓ２３）。つまり、表示部１５は、受信された映像情報に基づいて映像を表示する。図５は、表示部１５に表示される映像の一例である。映像は、例えば、動画像であるが、静止画像であってもよい。
【００５２】
これにより、第一の車両１０の運転者は、第二の車両２０の前方の状況が確認できる。例えば、第二の車両２０の進行が遅い原因が渋滞であることがわかれば、第一の車両１０の運転者は、ゆるやかに減速して車間距離をとるなどの対応をとることができる。
【００５３】
ステップＳ２３の後、第二制御部２２は、第一の車両１０に映像を提供しているときに、第二の車両２０の前方で渋滞などの走行障害が発生していると判断すると、第二無線通信部２３にアラーム情報を無線送信させる（Ｓ２４）。
【００５４】
第二の車両２０の前方で渋滞が発生しているか否かの判断は、例えば、第二カメラ２１が撮像した映像が画像処理されることにより行われる。例えば、第二制御部２２は、第二記憶部２４にあらかじめ記憶された車両のマッチングパターンと、現在撮像中の映像との比較に基づいて、映像中に含まれる車両を検出し、検出された車両の数に応じて渋滞が発生しているか否かを判断することができる。アラーム情報は、第二カメラ２１によって撮像された第二の車両２０の前方の映像に基づいて得られる情報の一例である。アラーム情報は、言い換えれば、第二の車両２０の前方で渋滞が発生していることを示す情報である。アラーム情報は、例えば、そのままでは映像として使用できないデジタル信号（言い換えれば、ビット列）である。
【００５５】
第一制御部１２は、第一無線通信部１４によってアラーム情報が受信されると（Ｓ２５）、受信されたアラーム情報に基づいて渋滞が発生していることを通知する音声をスピーカ１６に出力させる。なお、第一制御部１２は、アラーム情報に基づいて渋滞が発生していることを示す映像を表示部１５に表示させてもよい。
【００５６】
これにより、第一の車両１０の運転者は、第二の車両２０の進行が遅い原因が渋滞であることがわかる。そうすると、第一の車両１０の運転者は、ゆるやかに減速して車間距離をとるなどの対応をとることができる。
【００５７】
なお、動作例１において、第一無線通信部１４は、第二カメラ２１によって撮像された映像、及び、アラーム情報の両方を取得したが、第二カメラ２１によって撮像された映像、及び、アラーム情報の少なくとも一方を取得すればよい。
【００５８】
［車車間通信システムの動作例２］
次に、車車間通信システム１００の動作例２について説明する。図６は、車車間通信システム１００の動作例２のシーケンス図である。なお、以下の動作例２の説明では、動作例１との相違点を中心に説明が行われる。
【００５９】
ステップＳ１１〜ステップＳ２２の処理は、動作例１と同様である。ステップＳ２２に続いて、第二制御部２２は、第二記憶部２４に記憶された第二の車両２０の車両情報を読み出し、第二無線通信部２３に送信させる（Ｓ３１）。つまり、第二制御部２２は、第二無線通信部２３によって映像の要求が受信されると、映像情報に加えて、第二の車両２０の車両情報を送信させる。
【００６０】
第一通信装置１０１の第一無線通信部１４は、第二の車両２０の車両情報を取得する（Ｓ３２）。第一制御部１２は、取得された映像情報に基づいて表示部１５に映像を表示させ（Ｓ２３）、さらに、スピーカ１６に第二の車両２０の車両情報を音声として出力させる（Ｓ３３）。このとき出力される音声は、第二の車両２０の製造メーカ、車種、車体色、及び、しナンバーなどを通知する音声である。これにより、図７に示されるように、映像の表示と、音声の出力とが並行して行われる。図７は、動作例２における情報の提示例を示す図である。なお、車両情報は、表示部１５に映像として表示されてもよい。
【００６１】
これにより、第一の車両１０の運転者は、表示されている映像が目前の第二の車両２０が備える第二カメラ２１によって撮像されたものであるかを確認することができる。第一の車両１０の走行中に前方に位置する第二の車両２０が別の車両に変わることはよくあることであり、表示されている映像がどのような車両から撮像されたものであるかを第一の車両１０の運転者に通知することは有益である。例えば、第一の車両１０の運転者は、表示されている映像が、現在前方に位置する車両からの映像ではないと判断した場合、映像の取得をやり直すことができる。第一の車両１０の運転者は、具体的には、もう一度ステップＳ１２の操作を行えばよい。
【００６２】
［第二ＩＤの分割送信］
ところで、第二制御部２２は、第二ＩＤを複数のパケットに分割し、複数のパケットに応じて変調された変調光を第二発光部２５に出射させてもよい。図８は、第二ＩＤを複数のパケットに分割して送信する方法を説明するための図である。
【００６３】
図８の（ａ）に示されるように、第二制御部２２は、送信対象の第二ＩＤの先頭に送信プロトコルを示す情報（ＴＹＰＥ）を付与し、送信対象の第二ＩＤの末尾に誤り検知用の情報（ＣＲＣ）を付与することにより、第二ＩＤの送信データを生成する。
【００６４】
次に、図８の（ｂ）に示されるように、第二制御部２２は、生成された送信データを分割する。図８では、第二制御部２２は、送信データをパートＡ、パートＢ、及び、パートＣの３つに分割しているが、送信データの分割数は特に限定されない。
【００６５】
次に、図８の（ｃ）に示されるように、第二制御部２２は、分割後の送信データのそれぞれについて、プリアンブル（ＰＲＥ）、及び、パケット番号（ＰＮ）を付与する。これにより、分割後の送信データのそれぞれがパケット化される。なお、図８の例では、プリアンブルは、分割後の送信データの先頭に付与されているが、先頭ではなく末尾に付与されてもよいし、送信データの先頭及び末尾のそれぞれに付与されてもよい。
【００６６】
そして、第二制御部２２は、複数のパケット化された送信データに応じて変調された変調光を第二発光部２５に出射させる。つまり、第二制御部２２は、第二ＩＤを複数のパケットに分割し、複数のパケットに応じて変調された変調光を第二発光部２５に出射させる。
【００６７】
第二ＩＤが複数のパケットに分割されて送信されれば、第一カメラ１１（イメージセンサ１１ａ）が部分的に第二ＩＤの受信（読み取り）に失敗したとしても、変調光によって複数のパケットが繰り返し送信されることにより、第一制御部１２は、第二ＩＤを復元（取得）することができる。例えば、変調光による第二ＩＤの１回目の送信において、パートＡ、パートＢ、及び、パートＣのうちパートＣの受信に失敗したとしても、２回目以降でパートＣが受信されれば、第一制御部１２は、第二ＩＤを復元（取得）することができる。つまり、受信精度を高めることができる。
【００６８】
第二発光部２５は、より具体的には、変調光の出射により、第一カメラ１１（イメージセンサ１１ａ）が撮像する映像の１フレームに相当する期間に、パケット化された送信データ（第二ＩＤを構成するパケット）を２つ以上送信するとよい。
【００６９】
これにより、第二発光部２５に部分的に非発光領域が生じていても、第一カメラ１１が１フレームに相当する期間に少なくとも１つのパケットを受信できる可能性を高めることができる。
【００７０】
なお、パケットの送信順序は、特に限定されない。例えば、図９に示されるように、パートＡ、パートＢ、及び、パートＣがこの順で繰り返し送信されてもよい。また、図１０に示されるように、パートＡが複数回送信された後、パートＢが複数回送信され、その後、パートＣが複数回送信されてもよい。図９及び図１０は、パケットの送信順序の一例を示す図である。
【００７１】
［変形例］
なお、第二通信装置１０２と同様に、第一通信装置１０１は、第一の車両１０以外の他の車両に、第一ＩＤを送信することができる。つまり、第一発光部１８は、第一ＩＤに応じて変調された変調光を発することができる。同様に、第一無線通信部１４は、第一ＩＤが指定された送信要求を受信し、受信された送信要求に応じて、第一カメラ１１によって撮像される映像を送信することができる。また、第一無線通信部１４は、受信された送信要求に応じて、上記映像から得られるアラーム情報を送信することもできる。アラーム情報は、第一制御部１２が第二制御部２２と同様の画像処理を行うことで送信される。
【００７２】
また、第一通信装置１０１及び第二通信装置１０２は、汎用の情報通信端末を利用して実現されてもよい。例えば、第一通信装置１０１のうち、第一発光部１８以外の構成要素がスマートフォンの機能を利用して実現されてもよい。この場合、スマートフォンと第一発光部１８とは、例えば、無線通信によってペアリングされる。また、この場合、スマートフォンの記憶部（つまり、第一記憶部１７）には、スマートフォンを第一通信装置１０１として動作させるためのプログラムが記憶される。言い換えれば、第一記憶部１７には、第一制御部１２が第二の車両２０の第二ＩＤを特定するために実行するプログラムがインストールされる。
【００７３】
［効果等］
以上説明したように、第一通信装置１０１は、車両用通信装置の一例である。第一通信装置１０１は、前方に位置する第二の車両２０に取り付けられる第二発光部２５であって、第二ＩＤに応じて変調された変調光を発する第二発光部２５を撮像する第一カメラ１１と、第一カメラ１１によって撮像される第二発光部２５の映像に基づいて、第二ＩＤを特定する第一制御部１２と、特定された第二ＩＤに基づいて、第二の車両２０に取り付けられた第二カメラ２１によって撮像された第二の車両２０の前方の映像、及び、当該映像に基づいて得られるアラーム情報の少なくとも一方を取得する第一無線通信部１４と、取得された映像及びアラーム情報の少なくとも一方を提示する提示部とを備える。第一無線通信部１４は、取得部の一例である。表示部１５は、提示部の一例であり、取得された映像及びアラーム情報を表示する。スピーカ１６は、提示部の別の一例であり、取得されたアラーム情報を音声として出力する。
【００７４】
このような第一通信装置１０１は、光通信によって第二ＩＤを取得することにより、通りすがりの第二の車両２０が備える第二カメラ２１で撮像された映像及びアラーム情報の少なくとも一方（以下、映像などとも記載される）を取得することができる。
【００７５】
また、例えば、第一無線通信部１４は、さらに、特定された第二ＩＤに基づいて、第二の車両２０の車両情報を取得する。第二の車両２０の車両情報は、言い換えれば、第二の車両２０に関する情報である。
【００７６】
これにより、第一通信装置１０１が備える提示部は、第二の車両２０の車両情報を第一の車両１０の運転者に提示することができる。提示を受けた第一の車両１０の運転者は、表示されている映像が目前の第二の車両２０が備える第二カメラ２１によって撮像されたものであるかを確認することができる。
【００７７】
また、例えば、提示部は、さらに、第二の車両２０の車両情報を音声として提示する。この場合の提示部は、上記実施の形態のスピーカ１６である。
【００７８】
これにより、第一通信装置１０１が備える提示部は、第二の車両２０の車両情報を第一の車両１０の運転者に音声として提示することができる。
【００７９】
また、例えば、第一通信装置１０１は、さらに、第一制御部１２が第一カメラ１１によって撮像される第二発光部２５の映像に基づいて第二ＩＤを特定するために実行するプログラムがインストールされる第一記憶部１７を備える。
【００８０】
これにより、例えば、汎用の情報通信端末に上記プログラムがインストールされることで第一通信装置１０１を実現することができる。
【００８１】
また、例えば、第一通信装置１０１は、第一ＩＤに応じて変調された変調光を発する第一発光部１８と、第一ＩＤが指定された送信要求に応じて、第一カメラ１１によって撮像される映像、及び、当該映像から得られるアラーム情報の少なくとも一方を送信する第一無線通信部１４とを備える。第一無線通信部１４は、送信部の一例である。
【００８２】
このような第一通信装置１０１は、第一の車両１０とは異なる他の車両に、映像及び当該映像から得られるアラーム情報の少なくとも一方を送信することができる。
【００８３】
また、例えば、第一無線通信部１４は、さらに、第一ＩＤが指定された送信要求に応じて、第一通信装置１０１が取り付けられる第一の車両１０の車両情報を送信する。第一の車両１０の車両情報は、言い換えれば、第一の車両１０に関する情報である。
【００８４】
このような第一通信装置１０１は、第一の車両１０とは異なる他の車両に第一の車両１０の車両情報を送信することができる。
【００８５】
また、例えば、第一無線通信部１４は、第二カメラ２１によって撮像された第二の車両２０の前方の映像に基づいて得られる情報として、第二の車両２０よりも前方で渋滞が発生していることを示す情報を取得する。
【００８６】
これにより、第一の車両１０の運転者は、第二の車両２０の進行が遅い原因が渋滞であることがわかるため、落ち着いて運転を行うことができる。つまり、第一の車両１０の運転者の快適性が高められる。
【００８７】
また、本発明は、第一の車両１０として実現されてもよい。第一の車両１０は、第一通信装置１０１と、第一通信装置１０１が取り付けられる車両本体１９とを備える。
【００８８】
このような第一の車両１０は、光通信によって第二ＩＤを取得することにより、通りすがりの第二の車両２０が備える第二カメラ２１で撮像された映像などを取得することができる。
【００８９】
また、本発明は、コンピュータを、第一通信装置１０１として動作させるためのプログラムとして実現されてもよい。
【００９０】
このようなプログラムがインストールされた情報通信端末は、光通信によって第二ＩＤを取得することにより、通りすがりの第二の車両２０が備える第二カメラ２１で撮像された映像などを取得することができる。
【００９１】
また、車車間通信システム１００は、第一の車両１０に取り付けられる第一通信装置１０１と、第一の車両１０の前方に位置する第二の車両２０に取り付けられる、第二ＩＤに応じて変調された変調光を発する第二発光部２５とを備える。
【００９２】
このような車車間通信システム１００において、第一通信装置１０１は、光通信によって第二ＩＤを取得することにより、通りすがりの第二の車両２０が備える第二カメラ２１で撮像された映像などを取得することができる。
【００９３】
（その他の実施の形態）
以上、実施の形態について説明したが、本発明は、このような実施の形態に限定されるものではない。
【００９４】
上記実施の形態では、映像及び映像に基づいて得られる情報の送受信は、電波通信によって行われたが、光通信によって行われてもよい。つまり、取得部は、カメラであってもよいし、送信部は、発光部であってもよい。特に、映像に基づいて得られる情報は、映像よりも情報量が少ないため光通信による送受信が容易である。
【００９５】
また、上記実施の形態において、特定の処理部が実行する処理を別の処理部が実行してもよい。また、複数の処理の順序が変更されてもよいし、複数の処理が並行して実行されてもよい。
【００９６】
また、上記実施の形態において、第一制御部及び第二制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９７】
また、第一制御部及び第二制御部などの構成要素は、ハードウェアによって実現されてもよい。例えば、第一制御部及び第二制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００９８】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、上記実施の形態の車車間通信システムとして実現されてもよいし、第一通信装置または第二通信装置によって実行される通信方法として実現されてもよい。また、本発明は、汎用の情報通信端末などのコンピュータを、第一通信装置または第二通信装置として動作させるためのプログラムとして実現されてもよいし、当該プログラムが記録されたコンピュータ読み取り可能な非一時的な記録媒体として実現されてもよい。
【００９９】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１００】
１０  第一の車両（車両）
１１  第一カメラ
１２  第一制御部（制御部）
１４  第一無線通信部（取得部、送信部）
１５  表示部（提示部）
１６  スピーカ（提示部）
１７  第一記憶部（記憶部）
１８  第一発光部
１９  車両本体
２０  第二の車両
２１  第二カメラ
２５  第二発光部（発光部）
１００  車車間通信システム
１０１  第一通信装置（車両用通信装置）
【図１】
2019175376.tif 000003
【図２】
2019175376.tif 000004
【図３】
2019175376.tif 000005
【図４】
2019175376.tif 000006
【図５】
2019175376.tif 000007
【図６】
2019175376.tif 000008
【図７】
2019175376.tif 000009
【図８】
2019175376.tif 000010
【図９】
2019175376.tif 000011
【図１０】
2019175376.tif 000012